(57)【特許請求の範囲】
【請求項１】
背面側板、及び天板の後部側に形成される前後方向に離間する２条の連続状の第１穴部と、前後方向に任意のピッチで多数形成した左右方向に不連続状の第２穴部とを備える天板とからなり、後方に向けて坂上がり勾配を有する半アーチ状断面の商品陳列基台と、該第２穴部に嵌合する長辺と短辺のふたつの斜辺で形成される三角形断面の底なし横長箱状物であって、該三角形のふたつの斜辺のうち、長辺側の面に左右方向に連続する１条の横溝を備える補助台の１個又は複数個と、
係合片を前後両端に有する矩形状の本体部と、該本体部から立設する一対の略円形断面の挟持片で形成される支持部とからなり、アーチ状の仕切り板を抜き差し自在、位置設定自在に取り付けると共に、該支持部が該天板の２条の第１穴部又は該補助台の角部と横溝に着脱自在に嵌合又は係り止めする仕切り板支持部材を備える商品仕切り部と、を有し、該天板の面と、補助台の２つの面の少なくともひとつの面とを商品載置面とすることを特徴とする商品陳列台。
【請求項２】
前記商品陳列基台が、右側板、左側板、背面側板及び天板とからなり、後方に向けて坂上がり勾配を有する半アーチ状断面の底なし箱状物であることを特徴とする請求項１記載の商品陳列台。
【請求項３】
前記商品陳列基台の後方端に着脱自在に立設される鏡を、更に有することを特徴とする請求項１又は２記載の商品陳列台。
【請求項４】
複数個を横並びで使用することを特徴とする請求項１〜３のいずれか１項記載の商品陳列台。
【発明の詳細な説明】
【０００１】
【発明の属する技術分野】
本発明は、主にスーパー、百貨店、専門店、コンビニエンスストアー等の店内で商品を陳列するのに用いられ、その商品陳列形態が人の目を惹く演出効果を奏する商品陳列台に関するものである。
【０００２】
【従来の技術】
従来、スーパー、百貨店、専門店等の店内で商品を陳列する方法は、最も単純なものとして、(1) 水平の陳列台に仕切りを設け、その仕切りごとに商品を並べたり、箱等に商品を並べ、この箱等ごと水平の陳列台に載せたものがある。また、(2) 傾斜している陳列台に仕切りや雛壇を設け、その仕切りや雛壇ごとに商品を並べたり、箱等に商品を並べこの箱等ごと傾斜の陳列台に載せたものがある。また、(3) 水平あるいは直線傾斜を選択でき、しかも傾斜角も選択できる角度選択型陳列台に仕切りを設けて、その仕切りごとに商品を並べたり、箱等に商品を並べこの箱等ごと角度選択陳列台に載せたものもある。更に、(4) 上記の(2) 、(3) の直線傾斜している陳列台の代わりに、仕切り板や雛壇を予め設けてある商品陳列棚を台に載せ、この仕切り板や雛壇に直接商品を並べるものもある。
【０００３】
これらスーパー等の店内での商品陳列方法は、それにより商品の売れ行きが左右されることが多いから、上記した方法以外にも工夫を凝らし、様々な方法が取られる。しかし、その基本とするところは、水平の陳列台、直線傾斜している陳列台、角度選択型陳列台等の各種の陳列台に、仕切り板や箱等により商品を仕切り陳列するか、仕切り板や雛壇を設けてある商品陳列棚を設置台に載せ、それら仕切り板や雛壇により商品を仕切り陳列する方法である。
【０００４】
【発明が解決しようとする課題】
上記(1) 〜(3) の商品陳列方法は、水平又は直線傾斜の陳列台であるため、例えば、ばらもの商品をボリューム感を持たせて陳列させるには充分ではない。また、上記(4) の商品陳列棚は、予め雛壇を作製する必要があり、作製費や保管場所等の点で問題があった。一方、商品が陳列される陳列台の断面形状として、凸面やアーチ状面を採用し、且つアーチ状の仕切り板を併設するという発想は、商品の載置安定性が悪いこと、アーチ状の仕切り板がアーチ形状が異なる他の陳列台に転用できない等の理由で、これまでに無かった。従って、従来の商品陳列方法ではいくら工夫しても、変り映えのしない形態となるか、少し変り映えしたとしても際立った演出効果を奏するまでには至らなかった。
【０００５】
従って、本発明の目的は、簡易な構造であり、且つひとつ又は複数個の使用で商品陳列形態が人の目を惹く演出効果を奏する商品陳列台を提供することにある。
【０００６】
【課題を解決するための手段】
かかる実情において、本発明者は鋭意検討を行った結果、商品陳列面を半アーチ断面の凸状とし、これと商品を仕切るアーチ状仕切り板または三角形断面の底なし横長箱状物の補助台を併用すれば、陳列商品が所謂上げ底で且つ後方上り坂勾配に沿った上下方向に変化のある際立った陳列が可能となる等を見出し、本発明を完成するに至った。
【０００７】
すなわち、本発明は、背面側板、及び天板の後部側に形成される前後方向に２条の連続状の第１穴部と、前後方向に任意のピッチで多数形成した左右方向に不連続状の第２穴部とを備える天板とからなり、後方に向けて坂上がり勾配を有する半アーチ状断面の商品陳列基台と、該第２穴部に嵌合する長辺と短辺のふたつの斜辺で形成される三角形断面の底なし横長箱状物であって、該三角形のふたつの斜辺のうち、長辺側の面に左右方向に連続する１条の横溝を備える補助台の１個又は複数個と、係合片を前後両端に有する矩形状の本体部と、該本体部から立設する一対の略円形断面の挟持片で形成される支持部とからなり、アーチ状の仕切り板を抜き差し自在、位置設定自在に取り付けると共に、該支持部が該天板の２条の第１穴部又は該補助台の角部と横溝に着脱自在に嵌合又は係り止めする仕切り板支持部材を備える商品仕切り部と、を有し、該天板の面と、補助台の２つの面の少なくともひとつの面とを商品載置面とする商品陳列台を提供するものである。
【０００８】
また、本発明は、前記商品陳列基台が、右側板、左側板、背面側板及び天板とからなり、後方に向けて坂上がり勾配を有する半アーチ状断面の底なし箱状物である前記商品陳列台を提供するものである。
【００１３】
また、本発明は、前記商品陳列基台の後方端に着脱自在に立設される鏡を、更に有する前記商品陳列台を提供するものである。
【００１４】
また、本発明は、複数個を横並びで使用する前記商品陳列台を提供するものである。
【００１５】
本発明の商品陳列台は、商品陳列面が半アーチ断面の凸状であり、また、商品を仕切る仕切り板もアーチ状であるか、あるいは、商品陳列面に載置される補助台が三角形断面の底なし横長箱状物であるため、陳列商品を所謂上げ底で且つ後方上り坂勾配に沿った上下方向に変化のある陳列が可能となり、人の目を惹く際立った演出が可能となる。
【００１６】
【発明の実施の形態】
本発明の第１の実施の形態における商品陳列台を図１及び図２に基づいて詳述する。図１は本発明の第１の実施の形態である商品陳列台を示す斜視図、図２は第１の実施の形態である商品陳列台の分解図をそれぞれ示す。なお、図２中、補助台は図１に示す補助台の台数とは無関係に、その形状を説明するために前方斜めより見た図と、後方斜めより見た図の双方を示した。
【００１７】
本例の商品陳列台１０は、商品陳列基台１と、商品仕切り部２と、３個の補助台３と、ミラー（鏡）４からなる。商品陳列基台１は、右側板５、左側板６、背面側板７及び天板１３とからなり、後方に向けて坂上がり勾配を有する半アーチ状断面の底なし箱状物である。半アーチ状とは、高さがほとんど無い前方端１０１から後方に向けて坂上がり勾配となり、途中やや勾配が緩やかになり、高さＨの後方端１０２ではほぼ勾配のないフラットな状態のものである。
【００１８】
半アーチ状の天板１３には、左右方向に延びる第２横溝（第２穴部）１２を前後方向に任意のピッチｐ１で多数形成した横溝列が２列形成されている。第２横溝１２には、補助台３の第１係合片２８及び第２係合片２９が嵌合するようになっている。本例では、補助台３の第１係合片２８と第２係合片２９間の幅寸法がピッチｐ１の２倍であり、補助台３の幅寸法Ｗがピッチｐ１の３倍より若干小さめである（図４及び図５参照）。本発明において、第２穴部としては、特に制限されず、上記横溝の他、丸穴、楕円穴等が挙げられる。この場合、補助台３の第１係合片２８や第２係合片２９の形状を当該当該第２穴部に嵌合する形状とする。
【００１９】
また、アーチ状の天板１３の後方側には、第２横溝１２とは別に、前後方向に２条の第１横溝１５（第１穴部）が形成されている。第１横溝１５には、アーチ状の仕切り板２１を支持する仕切り板支持部材２１の係合片２３が嵌合するようになっている。従って、第１横溝１５、１５間のピッチｐ２は仕切り板支持部材２１の１対の係合片２３、２３間の寸法と同じである（図３参照）。本発明において、第１穴部としては、特に制限されず、上記横溝１５の他、所定ピッチで形成される丸穴、角穴等が挙げられる。この場合、仕切り板支持部材２１の係合片２３の形状を当該当該第１穴部に嵌合する形状とする。また、第１穴部はこれを別途設ける必要はなく、第２穴部で代用することもできる。
【００２０】
商品陳列基台１の後方には、任意の構成部材である矩形状のミラー４が着脱自在に立設される係合溝７１が形成されている。すなわち、係合溝７１は背面側板７の上方部分に形成されている。後方ミラー４の設置により、該ミラー４の前方に陳列された商品を見る人の目に写して、奥側に仮想スペースを形成しボリュム感を出している。また、商品陳列基台１の前方には、左右方向に１条の突起部１４が形成され、陳列商品のズレ落ちを防止している。本発明においては、左右方向の１条の突起部１４に代えて、左右方向に１条の溝を形成し、転落防止板を設置するようにしてもよい。
【００２１】
商品仕切り部２は、アーチ状の仕切り板２２と、アーチ状の仕切り板２２を抜き差し自在、位置設定自在に支持する仕切り板支持部材２１とからなる。すなわち、仕切り板支持部材２１は、係合片２３を前後両端に有する矩形状の本体部２１ｂと、本体部２１ｂの左端から立設する一対の略半円形断面の挟持片で形成される支持部２１ａとからなる。仕切り板支持部材２１は、本体部２１ｂとその前後両側の係合片２３とで略コ字形状を形成し、一方の係合片２３を第２横溝１２に嵌め込み、他方の係合片２３を補助台３の三角形のふたつの斜辺で形成される角部に掛かり止めすることにより、商品仕切り部２の補助台３の斜面への設置安定性を高めている。
【００２２】
支持部２１ａの１対の挟持片で形成される隙間は、２段階設定されており、外側部がアーチ状の仕切り板２２の厚みと同等程度、内側部がアーチ状の仕切り板２２の厚みよりやや狭く設定され、アーチ状の仕切り板２２の内側部内への差し込み、更に、矩形状の本体部２１ｂの近傍まで挿入された後は一対の挟持片のバネ力により強く支持するようになっている。これにより、アーチ状の仕切り板２２は仕切り板支持部材の支持部２１ｂに抜き差し自在、位置設定自在に取り付けられる。位置設定自在とは、手動操作により、アーチ状の仕切り板２２を仕切り板支持部材２１に対して、前後方向に動かし何れの位置でも支持できるようにすると共に、支持部２１ａを中心とした所謂シーソー移動により角度調整自在としたものを言う。
【００２３】
補助台３は、三角形断面の底なし横長箱状物であって、該三角形のふたつの斜辺３１、３２で形成されるふたつの面３３、３４のうち、面３３が商品載置面となっている。また、該三角形のふたつの斜辺３１、３２のうち、長辺３２側の面３３の左右方向に仕切り板支持部材２１が嵌合する横溝２４を備える。また、補助台３は三角形の短辺側の面３４の下方には第１係合片２８を有し、箱状物の裏面には第１係合片２８とほぼ平行で且つそれよりやや長い第２係合片２９を有する。本発明において、当該横溝２４としては、特に制限されず、上記横溝２４の他、所定ピッチで形成される丸穴、角穴等の列状の溝が挙げられる。この場合、仕切り板支持部材２１の係合片２３の形状を当該横溝に嵌合する形状とする。
【００２４】
本例の商品陳列補助台１０Ａを組み付けるには、先ず、商品陳列基台１の半アーチ状の天板１３上に、天板１３の下方側から順に３台の補助台３を設置する。すなわち、補助台３は三角形の短辺３１の面３４が前方側となるように置き、補助台３の第１係合片２８及び第２係合片２９を天板１３の第２横溝１２にそれぞれ嵌め込み固定する。３台の補助台３を下側から隙間のないように設置することで、略雛壇形状の陳列台が形成できる。この陳列台の略雛壇形状は、上段の補助台３の後面３３が水平面とならず、下り面となる点で、従来にはない極めて特徴的な陳列形状を実現できる。次いで、中段の補助台３の左寄りに商品仕切り部２を設置する。この場合、商品仕切り部２は、予め、アーチ状の仕切り板２２を仕切り板支持部材２１に組み込んでから補助台３に設置しても、仕切り板支持部材２１を補助台３に設置してからアーチ状仕切り板２２を組み込んでも、いずれでもよい。すなわち、例えば、アーチ状仕切り板２２のほぼ中央を挟持した仕切り板支持部材２１の１対の係合片２３のうち、後方の係合片２３を中段の補助台３の横溝２４に嵌め込み、前方の係合片２３を補助台３の角部３５に係り止めすることで設置される。次いで、矩形状の鏡４は商品陳列基台１の後方の溝７１に嵌め込み固定される。
【００２５】
商品陳列台１０Ａによれば、天板１３を半アーチ断面の凸状とし、更に、これに三角形断面の横長箱状体の補助台３を３台連ねて載置した形態を採るため、陳列商品が所謂上げ底で且つ後方上り坂勾配に沿って、上下方向に凹凸を伴った際立った陳列が可能となる。
【００２６】
本発明において、商品陳列台の形状としては、特に制限されないが、奥行きの長さ（Ｌ）と後方端における商品陳列基台１の高さ（Ｈ）の比Ｌ／Ｈは、３〜５程度、商品陳列高さの半値高さ（Ｈ／２）が商品陳列基台１の前方端１０１より、１／６〜１／４にあるような形態とすることが、商品の陳列安定性を保持しつつ、商品の際立った演出を実現できる点で好適である。
【００２７】
次に、本発明の他の実施の形態における商品陳列台を図３〜図６に基づいて説明する。図３は本発明の参考の形態である商品陳列台の一部を断面で示す側面図、図４〜図５はそれぞれ本発明の他の実施の形態である商品陳列台の一部を断面で示す側面図、図６は本発明の他の実施の形態である商品陳列台の斜視図をそれぞれ示す。
【００２８】
図３の商品陳列台１０Ｂにおいて、図１の商品陳列台１０Ａと同一構成要素には同一符号を付してその説明を省略し、異なる点について主に説明する。すなわち、商品陳列台１０Ｂにおいて、商品陳列台１０Ａと異なる点は、補助台３を省略した点、及び仕切り板支持部材２１の嵌め込み部分を第１横溝１５とした点にある。また、仕切り板支持部材２１の嵌め込み部分を第１横溝１５としたため、アーチ状仕切り板２２の挟持位置は、アーチ状仕切り板２２の上方位置としている。これにより、陳列面の全体、特に上下方向に陳列される商品を明確に仕切ることができる。商品陳列台１０Ｂによれば、天板１３を半アーチ断面の凸状とし、陳列商品が所謂上げ底で且つ後方上り坂勾配に沿って、上下方向に独特の陳列が可能となる。
【００２９】
図４の商品陳列台１０Ｃにおいて、図１の商品陳列台１０Ａと同一構成要素には同一符号を付してその説明を省略し、異なる点について主に説明する。すなわち、商品陳列台１０Ｃにおいて、商品陳列台１０Ａと異なる点は、上段の補助台３を省略し、補助台３の合計使用数を２台とした点及び仕切り板支持部材２１の嵌め込み部分を第１横溝１５とした点にある。また、仕切り板支持部材２１の嵌め込み部分を第１横溝１５としたため、アーチ状仕切り板２２の挟持位置は、アーチ状仕切り板２２の上方位置としている。これにより、陳列面の全体、特に上下方向に陳列される商品を明確に仕切ることができる。商品陳列台１０Ｃによれば、天板１３を半アーチ断面の凸状とし、更に、これに三角形断面の横長箱状体の補助台３を２台連ねて載置した形態を採るため、陳列商品が所謂上げ底で且つ後方上り坂勾配に沿って、上下方向に凹凸を伴った際立った陳列が可能となる。
【００３０】
図５の商品陳列台１０Ｄにおいて、図１の商品陳列台１０Ａと同一構成要素には同一符号を付してその説明を省略し、異なる点について主に説明する。すなわち、商品陳列台１０Ｄにおいて、商品陳列台１０Ａと異なる点は、３台の補助台３の前後方向の向きを変えた点、及び仕切り板支持部材２１の嵌め込み部分を上段の補助台３とした点にある。これにより、陳列棚は鋸刃状の陳列形態を採ることができる。このため、該三角形のふたつの斜辺３１、３２で形成されるふたつの面３３、３４のうち、主に面３３が商品載置面となっている。すなわち、商品陳列台１０Ｄによれば、天板１３を半アーチ断面の凸状とし、更に、これに三角形断面の横長箱状体の補助台３を３台連ねて、しかも三角形の長辺で形成される面３３を前方に向くように載置した形態を採るため、陳列商品が所謂上げ底で且つ後方上り坂勾配に沿って、上下方向に大きな凹凸を伴った際立った陳列が可能となる。なお、商品陳列台１０Ａ〜１０Ｄにおいて、商品仕切り部２は複数使用するものであってもよい。
【００３１】
図６の商品陳列台１０Ｅにおいて、図１の商品陳列台１０Ａと同一構成要素には同一符号を付してその説明を省略し、異なる点について主に説明する。すなわち、商品陳列台１０Ｅにおいて、商品陳列台１０Ａと異なる点は、３台の補助台３の前後方向の向きを変えた点、及び商品陳列台１０Ｅを２台横方向に並べて使用する点にある。これにより、陳列棚は鋸刃状の陳列形態を採ることができる。すなわち、商品陳列台１０Ｅによれば、天板１３を半アーチ断面の凸状とし、更に、これに三角形断面の横長箱状体の補助台３を３台連ねて、しかも三角形の長辺で形成される面３３を前方に向くように載置した形態を採るため、陳列商品が所謂上げ底で且つ後方上り坂勾配に沿って、上下方向に凹凸を伴った際立った陳列が可能となる。更に、仕切り板２２で区画される空間を広く採れるため、横長のもの、陳列数量が多いものなどに好適である。
【００３２】
商品陳列台１０Ａ〜１０Ｅは、これを構成する商品陳列基台１の右側板５及び左側板６が省略された底板なし、両側板なしの態様であっても、商品を載置できる安定な構造をとることができる。更に、商品陳列台１０Ａ〜１０Ｅは、商品仕切り部２を省略した態様であってもよい。この場合、補助台３の仕切り板支持部材が嵌合する第１穴部はあっても、なくてもよい。更に、商品陳列台１０Ａ〜１０Ｅは、これを複数個を横並び又は縦並びで使用してもよく、更に、１台の商品陳列台又は複数個を横並びに並べて使用する商品陳列台において、商品仕切り部２を複数個使用してもよい。また、商品陳列台１０Ａ〜１０Ｅは、通常、スーパー、百貨店、専門店等の店内で商品を陳列する棚上で使用され、特に、設置スペースが制約され、陳列の演出が行い難い、冷ケースにおいて、顕著な効果を奏する。
【００３３】
本発明において、アーチ状の仕切り板２２とは、仕切り板の下側の辺２２ａがアーチ状であればよく、仕切り板の上側の辺２２ｂはアーチ状であっても、アーチ状でなくてもよい。仕切り板の上側の辺２２ｂがアーチ状でない他の例としては、小さい凹凸の連続模様断面の板材、大小のこぶを任意のピッチで有する板材などが挙げられる。これらの態様はいずれも、下側の辺２２ａがアーチ状であると共に、上側の辺２２ｂが特徴的形状であるため、人目を引く点で好適である。
【００３４】
【発明の効果】
本発明の商品陳列台は、簡易な構造であり、且つひとつ又は複数個の使用で商品陳列形態が人の目を惹く演出効果を奏する。特に、陳列商品が所謂上げ底で且つ後方上り坂勾配に沿って、上下方向に大きな凹凸を伴った陳列が可能となり、これが、アーチ状の仕切り板の併設により一層際立ったものにしている。
【図面の簡単な説明】
【図１】本発明の第１の実施の形態である商品陳列台を示す斜視図である。
【図２】第１の実施の形態である商品陳列台の分解図である。
【図３】本発明の他の実施の形態における商品陳列台の一部を断面で示す側面図である。
【図４】本発明の他の実施の形態における商品陳列台の一部を断面で示す側面図である。
【図５】本発明の他の実施の形態における商品陳列台の一部を断面で示す側面図である。
【図６】本発明の他の実施の形態である商品陳列台の斜視図である。
【符号の説明】
１        商品陳列台
２        商品仕切り部
３        補助台
４        矩形状の鏡
５        右側板
６        左側板
７        背面側板
１２      第２横溝（第２穴部）
１３      半アーチ状の天板
１４      １条の突起部
１５      第１横溝（第１穴部）
２１      仕切り板支持部材
２１ａ    支持部
２１ｂ    矩形状の本体部
２２      アーチ状の仕切り板
２２ａ    アーチ状の仕切り板の下側の辺
２２ｂ    アーチ状の仕切り板の上側の辺
２３      係合片
２８      第１係合片
２９      第２係合片
３１      三角形の短辺
３２      三角形の長辺
７１      係合溝
１０１    商品陳列基台の前方端
１０２    商品陳列基台の後方端
【図１】
0004025077.tif 000002
【図２】
0004025077.tif 000003
【図３】
0004025077.tif 000004
【図４】
0004025077.tif 000005
【図５】
0004025077.tif 000006
【図６】
0004025077.tif 000007